(57)【要約】      （修正有）【課題】汚染された土壌や排出物他高濃度の放射性物質などを含有した汚泥等の保管において、放射線を有効的に遮断し、容易に移動及び運搬することができ、容易に倒伏しない汚染物密封・格納・運搬石棺容器を提供する。【解決手段】底部と四面壁部５、６、７、８および密閉度の高い上蓋１２、１３を有し、容器内部は耐候性および防水性の高いガラス塗料で容器内の上下四方をガラス塗料され密封度をより高め、容器素材は墓石等に使われている耐久性が何百年も実績保持する石棺素材を主体とした石棺の容器で形成されており、容器の底部は移動や輸送を容易にできるフォーク挿入溝４を備え、フォークリフトやクレーン車などを用意に用いることができ、容器の上蓋には倒伏防止を備え容器重ねが安定し安全を備えた遮蔽容器である。【選択図】図１
0003183280.tif 000002
【実用新案登録請求の範囲】
【請求項１】
▲１▼  連結孔付土台石部本体の上部に土台凸部を設け、土台凸部の四面に石棺固着孔を備え連結孔付土台石部本体の連結孔付土台底面部の四面にフォーク挿入溝と連結孔を設け、
▲２▼  連結孔付土台石部本体の上部に備えた土台凸部の四面に正面側壁面石棺部・背面側壁面石棺部・右側壁面石棺部・左側壁面石棺部を設け、
▲３▼  正面側壁面石棺部と背面側壁面石棺部に側壁面合せ凹部と土台凸部面合せ凹部を備え石棺固着孔を設け、正面側壁面石棺部と背面側壁面石棺部の石棺側壁上面部に石棺上蓋固着孔と突設用連結孔を設け、
▲４▼  右側壁面石棺部と左側壁面石棺部に石棺固着孔を備えた土台凸部面合せ凹部を設け、右側壁面石棺部の両側面に石棺固着孔を備え右側壁面石棺部に備えた石棺側壁上面部に石棺上蓋固着孔を設け、左側壁面石棺部両側面に石棺固着孔を備え、左側壁面石棺部に備えた石棺側壁上面部に石棺上蓋固着孔を設け、
▲５▼  土台凸部の四面に設置した正面側壁面石棺部・背面側壁面石棺部・右側壁面石棺部・左側壁面石棺部に備えた各石棺固着孔とうに固着用アンカーボルト小を挿入し四面の正面側壁面石棺部・背面側壁面石棺部・右側壁面石棺部・左側壁面石棺部を固着し固定するように設け、
▲６▼  土台凸部の四面に設置した正面側壁面石棺部・背面側壁面石棺部・右側壁面石棺部・左側壁面石棺部の内側の面にガラス塗料を塗布するように設け、
▲７▼  底面に外漏れ防止石棺凸部を備えた石棺右部上蓋の一方に介装合わせ右部を設け、石棺右部上蓋に石棺上蓋固着孔と突設用連結孔を設け、底面に外漏れ防止石棺凸部を備えた石棺左部上蓋の一方に介装合わせ左部を設け、石棺左部上蓋に石棺上蓋固着孔と突設用連結孔を設け、
▲８▼  石棺右部上蓋と石棺左部上蓋の介装合わせ右部と介装合わせ左部を咬合し土台凸部の四面に固定設置した正面側壁面石棺部・背面側壁面石棺部・右側壁面石棺部・左側壁面石棺部に設けた四面の石棺側壁上面部に嵌合するように設け、
▲９▼  石棺右部上蓋と石棺左部上蓋を固定するときは、石棺右部上蓋と石棺左部上蓋の底面にガラス塗料を塗布し、石棺側壁上面部に備えた各石棺上蓋固着孔に固着用アンカーボルト小を挿入し固着し固定するように設けた事を特徴とする汚染物密封・格納・運搬石棺容器。
【請求項２】
連結孔付土台石部本体の連結孔付土台底面部の四面に備えたフォーク挿入溝に、フォークリフトの爪を挿入し汚染物密封・格納・運搬石棺容器を移動する用に設けた事を特徴とする請求項１記載の汚染物密封・格納・運搬石棺容器。
【請求項３】
連結孔付土台石部本体の連結孔付土台底面部の四面に備えたフォーク挿入溝に、ロープもしくは重量用幅広帯バンドやワイヤーロープ等などを用いてフォーク挿入溝を用いてフォークリフト又はクレーン車などによる吊るす等の運搬や移動において汚染物密封・格納・運搬石棺容器を移動及び輸送運搬する用に設けた事を特徴とする請求項１記載の汚染物密封・格納・運搬石棺容器。
【請求項４】
汚染物密封・格納・運搬石棺本体に設けた石棺右部上蓋と石棺左部上蓋に備えた突設用連結孔に突設用アンカーボルト大の上部が飛び出た状態に嵌入するように固着させるように設け、汚染物密封・格納・運搬石棺本体を重ね保管したとき、容器本体位置を係着し保持及び容器倒伏防止として、汚染物密封・格納・運搬石棺本体の連結孔付土台底面部の設置面の四面に備えた連結孔を備え、突設用アンカーボルト大が嵌脱するように設けた事を特徴とする請求項１記載の汚染物密封・格納・運搬石棺容器。
【考案の詳細な説明】
【技術分野】
【０００１】  この考案は、汚染された土壌や排出物他高濃度の放射性物質など含有した汚泥等の保管において、汚染された汚泥や放射性濃度等が高いものなどが飛散したりしないよう密封度の高い遮蔽物を格納した容器にいれて保管することが望ましいことから、また高濃度の放射線を放射する汚泥等から放射される、人体への影響を考慮した放射線を有効的に遮断し低濃度レベルまで低減することができる放射能並びに汚染物質収納遮蔽容器であり、石棺容器の土台底面部の四面にフォーク挿入溝を備え収納された石棺容器を容易に移動及び運搬を容易にすることができ、また石棺容器本体の上蓋に設けた突設用アンカーボルト大と石棺容器の土台底面部の四面に備えた連結孔により、複数の石棺容器本体の重ね保管においても容易に倒伏しない汚染物密封・格納・運搬石棺容器に関するものである。
【背景技術】
【０００２】  従来、比較的濃度の低いものはセメントで作られた容器に保管したり、プラスチックドラムやドラム缶などの容器に入れ飛散しないよう遮蔽物のある場所で保管したり、プラスチックドラム容器をコンクリートリングなどと併用する保管容器や又濃度の低い放射性汚泥土壌やヘドロなどの汚染した汚泥を土嚢袋に充填したものを、セメントで作られた容器に保管していた。
【考案の開示】
【考案が解決しようとする課題】
【０００３】  その為に次のような問題点があった。
従来の容器は、取り扱い易く、耐候性がありコストが安いなどから土のう袋に一時保管すれば良いというたけで、放射能遮断に対応しない一時保管可能とした土のう袋が主流に使用されていて、放射能を放射した土のう袋を放射性物質を含む除染後の土壌等の一時保管とした容器としている。またドラム缶の使用においても一時的に防水や防サビ加工を施したものを使用しているが、いずれもヘドロや放射線汚染土壌を長期間保管する容器ではないものを、保管容器としている。さらにコンクリートで箱型に成形された容器も提案されているが、コンクリートは劣化やドラム缶型容器は腐植する問題があり長期保管にはむかない欠点があり、放射線容器収納された放射性廃棄物は長期保管を要求されるため、従来の容器は長期保管には向かない大きな欠点を抱えていて耐久性が高く、放射線遮蔽力を備え移動並びに重ね保管可能などの取り扱いできる容器が求められている。
本考案は以上の問題点を解決する為になされたものである。
【課題を解決するための手段】
【０００４】  前期課題を解決する為に、本考案の汚染物密封・格納・運搬石棺容器は、放射線物質で汚染された廃棄物やヘドロで汚泥された汚染物などの廃棄土壌などを含む汚染物質などを保管格納したり、安全に運搬移動できる汚染物密封・格納・運搬石棺容器であって底部と四面壁部および密閉度の高い上蓋を有し、容器内部は耐候性および防水性の高いガラス塗料で容器内の上下四方を塗料され密封度をより高め、容器素材は墓石等に使われている耐久性が何百年も実績保持する石棺素材を主体とした石棺の容器で形成されており、容器の底部は移動や輸送を容易にできるフォーク挿入溝を備え、フォークリフトやクレーン車などを用意に用いることができ、容器の上蓋には、倒伏防止を備え、容器重ねが安定し安全を備えたことを特徴としている。【０００５】  汚染物密封・格納・運搬石棺容器によれば、石棺は自然石で密度が高いため壁厚を増加させることなく、容器内を覆ったガラス塗料の塗り密度を高めたガラス塗装していることからさらに放射線遮断効果が高く、放射線量の低減を発揮し、汚染物の密封効力の高い容器を提供でき、型を起しコンクリートを流し込むなどの、工程や厚みむらや空気などの孔を生み出す品質むらの無い、石一体形の容器効果として石棺容器を構築することができその工程は様々な墓石を提供していることから、形状の裁断や削りその他穴の孔を設けることの技術は歴史的に高度な技を発揮されて作ることから品質のよい石棺の汚染物密封・格納・運搬石棺容器を構築することができ、低コスト化が可能である。
【考案の効果】
【０００６】  石棺は自然石で密度が高いため高濃度の放射線汚泥などを保管できる、放射線遮断効果が高い天然石の御影石などを用いて組み立てられ石一体形の容器効果として石棺容器を構築した石棺容器本体と石棺容器の上部面を密閉する外漏れ防止石棺凸部を備えた容器用上蓋からなり、高濃度の放射線汚泥から放出される放射線を遮断し、低減効果を発揮し、汚染された廃棄物やヘドロで汚泥された汚染物などの廃棄土壌などを含む汚染物質などの廃棄物の長期保管も高度な密閉遮蔽容器が構築でき、安全で汚染物密封・格納・運搬石棺容器が可能である。
【考案を実施するための最良の形態】
【０００７】    以下本考案の実施の形態について説明する。
（イ）  連結孔付土台石部本体（１）の上部に土台凸部（２）を設け、土台凸部（２）の四面に石棺固着孔（９）を備え連結孔付土台石部本体（１）の連結孔付土台底面部（２１）の四面にフォーク挿入溝（４）と連結孔（３）を設ける。
（ロ）  連結孔付土台石部本体（１）の上部に備えた土台凸部（２）の四面に正面側壁面石棺部（５）・背面側壁面石棺部（６）・右側壁面石棺部（７）・左側壁面石棺部（８）を設ける。
（ハ）  正面側壁面石棺部（５）と背面側壁面石棺部（６）に側壁面合せ凹部（１７）と土台凸部面合せ凹部（１８）を備え石棺固着孔（９）を設け、正面側壁面石棺部（５）と背面側壁面石棺部（６）の石棺側壁上面部（２５）に石棺上蓋固着孔（１０）と突設用連結孔（１１）を設ける。
（二）  右側壁面石棺部（７）と左側壁面石棺部（８）に石棺固着孔（９）を備えた土台凸部面合せ凹部（１８）を設け、右側壁面石棺部（７）の両側面に石棺固着孔（９）を備え右側壁面石棺部（７）に備えた石棺側壁上面部（２５）に石棺上蓋固着孔（１０）を設け、左側壁面石棺部（８）の両側面に石棺固着孔（９）を備え左側壁面石棺部（８）に備えた石棺側壁上面部（２５）に石棺上蓋固着孔（１０）を設ける。
（ホ）  土台凸部（２）の四面に設置した正面側壁面石棺部（５）・背面側壁面石棺部（６）・右側壁面石棺部（７）・左側壁面石棺部（８）に備えた各石棺固着孔（９）とうに固着用アンカーボルト小（１４）を挿入し四面の正面側壁面石棺部（５）・背面側壁面石棺部（６）・右側壁面石棺部（７）・左側壁面石棺部（８）を固着し固定するように設ける。
（ヘ）  土台凸部（２）の四面に設置した正面側壁面石棺部（５）・背面側壁面石棺部（６）・右側壁面石棺部（７）・左側壁面石棺部（８）の内側の面にガラス塗料（２３）を塗布するように設ける。
（ト）  底面に外漏れ防止石棺凸部（１６）を備えた石棺右部上蓋（１２）の一方に介装合わせ右部（１９）を設け、石棺右部上蓋（１２）に石棺上蓋固着孔（１０）と突設用連結孔（１１）を設け、底面に外漏れ防止石棺凸部（１６）を備えた石棺左部上蓋（１３）の一方に介装合わせ左部（２０）を設け、石棺左部上蓋（１３）に石棺上蓋固着孔（１０）と突設用連結孔（１１）を設ける。
（チ）  石棺右部上蓋（１２）と石棺左部上蓋（１３）の介装合わせ右部（１９）と介装合わせ左部（２０）を咬合し土台凸部（２）の四面に固定設置した正面側壁面石棺部（５）・背面側壁面石棺部（６）・右側壁面石棺部（７）・左側壁面石棺部（８）に設けた四面の石棺側壁上面部（２５）に嵌合するように設ける。
（リ）  石棺右部上蓋（１２）と石棺左部上蓋（１３）を固定するときは、石棺右部上蓋（１２）と石棺左部上蓋（１３）の底面にガラス塗料（２３）を塗布し、石棺側壁上面部（２５）に備えた各石棺上蓋固着孔（１０）に固着用アンカーボルト小（１４）を挿入し固着し固定できるように装着する。
本考案は、以上の構造でこれをしようするときは、
遮蔽効果があり汚染物の密封の高い容器を提供することが出来る為、放射能含む汚染物などにも安全で使用用途の広い容器として移動や輸送も容易になり、汚染物密封・格納・運搬石棺容器として安全に取扱が行う事ができる。
【図面の簡単な説明】
【００８】
【図１】本考案の実施の形態に係る石棺容器本体を示す斜視図
【図２】本考案の実施の形態に係る斜視図
【図３】本考案の石棺石蓋の実施状態を示す斜視図
【図４】本考案の土台石部本体底面の実施状態を示す斜視図
【図５】本考案の実施状態を示す斜視図
【図６】本考案の使用実施状態を示す斜視図
【図７】本考案の部品使用実施状態を示す拡大斜視図
【図８】本考案の部品使用実施状態を示す拡大斜視
【符号の説明】
【００９】  １  連結孔付土台石部本体
２  土台凸部
３  連結孔
４  フォーク挿入溝
５  正面側壁面石棺部
６  背面側壁面石棺部
７  右側壁面石棺部
８  左側壁面石棺部
９  石棺固着孔
１０  石棺上蓋固着孔
１１  突設用連結孔
１２  石棺右部上蓋
１３  石棺左部上蓋
１４  固着用アンカーボルト小
１５  突設用アンカーボルト大
１６  外漏れ防止石棺凸部
１７  側壁面合せ凹部
１８  土台凸部面合せ凹部
１９  介装合わせ右部
２０  介装合わせ左部
２１  連結孔付土台底面部
２２  汚染物密封・格納・運搬石棺本体
２３  ガラス塗料
２４  フォークリフト
２５  石棺側壁上面部
【図１】
0003183280.tif 000003
【図２】
0003183280.tif 000004
【図３】
0003183280.tif 000005
【図４】
0003183280.tif 000006
【図５】
0003183280.tif 000007
【図６】
0003183280.tif 000008
【図７】
0003183280.tif 000009
【図８】
0003183280.tif 000010
【手続補正書】
【提出日】平成25年1月17日(2013.1.17)
【手続補正１】
【補正対象書類名】実用新案登録請求の範囲
【補正対象項目名】全文
【補正方法】変更
【補正の内容】
【実用新案登録請求の範囲】
【請求項１】
▲１▼  連結孔付土台石部本体の上部に土台凸部を設け、土台凸部の四面に石棺固着孔を備え連結孔付土台石部本体の連結孔付土台底面部の四面にフォーク挿入溝と連結孔を設け、
▲２▼  連結孔付土台石部本体の上部に備えた土台凸部の四面に正面側壁面石棺部・背面側壁面石棺部・右側壁面石棺部・左側壁面石棺部を設け、
▲３▼  正面側壁面石棺部と背面側壁面石棺部に側壁面合せ凹部と土台凸部面合せ凹部を備え石棺固着孔を設け、正面側壁面石棺部と背面側壁面石棺部の石棺側壁上面部に石棺上蓋固着孔と突設用連結孔を設け、
▲４▼  右側壁面石棺部と左側壁面石棺部に石棺固着孔を備えた土台凸部面合せ凹部を設け、右側壁面石棺部の両側面に石棺固着孔を備え右側壁面石棺部に備えた石棺側壁上面部に石棺上蓋固着孔を設け、左側壁面石棺部両側面に石棺固着孔を備え、左側壁面石棺部に備えた石棺側壁上面部に石棺上蓋固着孔を設け、
▲５▼  土台凸部の四面に設置した正面側壁面石棺部・背面側壁面石棺部・右側壁面石棺部・左側壁面石棺部に備えた各石棺固着孔とうに固着用アンカーボルト小を挿入し四面の正面側壁面石棺部・背面側壁面石棺部・右側壁面石棺部・左側壁面石棺部を固着し固定するように設け、
▲６▼  土台凸部の四面に設置した正面側壁面石棺部・背面側壁面石棺部・右側壁面石棺部・左側壁面石棺部の内側の面にガラス塗料を塗布するように設け、
▲７▼  底面に外漏れ防止石棺凸部を備えた石棺右部上蓋の一方に介装合わせ右部を設け、石棺右部上蓋に石棺上蓋固着孔と突設用連結孔を設け、底面に外漏れ防止石棺凸部を備えた石棺左部上蓋の一方に介装合わせ左部を設け、石棺左部上蓋に石棺上蓋固着孔と突設用連結孔を設け、
▲８▼  石棺右部上蓋と石棺左部上蓋の介装合わせ右部と介装合わせ左部を咬合し土台凸部の四面に固定設置した正面側壁面石棺部・背面側壁面石棺部・右側壁面石棺部・左側壁面石棺部に設けた四面の石棺側壁上面部に嵌合するように設け、
▲９▼  石棺右部上蓋と石棺左部上蓋を固定するときは、石棺右部上蓋と石棺左部上蓋の底面にガラス塗料を塗布し、石棺側壁上面部に備えた各石棺上蓋固着孔に固着用アンカーボルト小を挿入し固着し固定するように設けた事を特徴とする汚染物密封・格納・運搬石棺容器。
【請求項２】
連結孔付土台石部本体の連結孔付土台底面部の四面に備えたフォーク挿入溝に、ロープもしくは重量用幅広帯バンドやワイヤーロープ等などをフォーク挿入溝に嵌通し汚染物密封・格納・運搬石棺容器本体を吊着出来るようにワイヤーロープ等などを設け、容易にクレーン車などにより吊るすことが出来る要に設けフォークリフト（もしくはフォークリフトトラックとも呼ぶ）以外による汚染物密封・格納・運搬石棺容器本体を吊着し昇降が容易に出来るように設けた事を特徴とする請求項１記載の汚染物密封・格納・運搬石棺容器。
【請求項３】
汚染物密封・格納・運搬石棺本体に設けた石棺右部上蓋と石棺左部上蓋に備えた突設用連結孔に突設用アンカーボルト大の上部が飛び出た状態に嵌入するように固着させるように設け、汚染物密封・格納・運搬石棺本体を重ね保管したとき、容器本体位    置を係着し保持及び容器倒伏防止として、汚染物密封・格納・運搬石棺本体の連結孔付土台底面部の設置面の四面に備えた連結孔を備え、突設用アンカーボルト大が嵌脱するように設けた事を特徴とする請求項１記載の汚染物密封・格納・運搬石棺容器。